(57)【要約】      （修正有）【課題】被収納物に付着した埃や汚れを効率よく拭き取ることができる物品収納ケースを提供する。【解決手段】物品収納ケース１０は、被収納物を収納するための収納空間Ｓを構成するケース本体１４と、ケース本体１４に開閉可能に設けられ、収納空間Ｓに対して被収納物を出し入れするための開閉口部１６とを備えており、ケース本体１４は、屈曲性および形態保持性を有する平板状の基材２０ａ，２０ｂと、基材２０ａ，２０ｂの外表面を覆うように設けられたマイクロファイバーからなる第１外生地２２ａ，２２ｂとを有している。【選択図】図２
0003215640.tif 000002
【実用新案登録請求の範囲】
【請求項１】
被収納物を収納するための収納空間を構成するケース本体と、前記ケース本体に開閉可能に設けられ、前記収納空間に対して前記被収納物を出し入れするための開閉口部とを備える、物品収納ケースにおいて、
前記ケース本体は、屈曲性および形態保持性を有する平板状の基材と、前記基材の外表面を覆うように設けられたマイクロファイバーからなる第１外生地とを有していることを特徴とする、物品収納ケース。
【請求項２】
前記ケース本体は、表部分と裏部分とを有する袋状に形成されており、
前記表部分および前記裏部分のそれぞれが、前記基材および前記第１外生地を有しており、
前記表部分を構成する前記基材および前記裏部分を構成する前記基材は、互いに独立して形成されている、請求項１に記載の物品収納ケース。
【請求項３】
前記ケース本体は、前記基材の内表面を覆うように設けられたマイクロファイバーからなる第１内生地を有している、請求項１または２に記載の物品収納ケース。
【請求項４】
前記開閉口部を開くときに弾性変形されるとともに、その復元力により前記開閉口部を閉じるように構成された平板状のばね部材を備え、
前記開閉口部は、緩衝性を有する緩衝材と、前記緩衝材の外表面を覆うように設けられたマイクロファイバーからなる第２外生地とを有しており、
前記ばね部材は、前記緩衝材の内側に配置されている、請求項１ないし３のいずれか１項に記載の物品収納ケース。
【請求項５】
前記開閉口部は、互いに対向する第１部分および第２部分を有しており、
前記緩衝材、前記第２外生地および前記ばね部材は、前記第１部分および前記第２部分のそれぞれに設けられている、請求項４に記載の物品収納ケース。
【請求項６】
前記開閉口部は、前記緩衝材の内表面を覆うように設けられたマイクロファイバーからなる第２内生地を有しており、
前記ばね部材は、前記緩衝材と前記第２内生地との間に配置されている、請求項４または５に記載の物品収納ケース。
【考案の詳細な説明】
【技術分野】
【０００１】
本考案は、小物物品を収納するための物品収納ケースに関する。
【背景技術】
【０００２】
従来から、メガネ、携帯電話およびデジタルカメラなどの小物物品を収納するための物品収納ケースがある。特許文献１に記載された物品収納ケースは、その長手方向の端部に開口部を有する略直方体形状の本体を備えている。本体は、硬質の樹脂からなる一体成型品であり、本体の内面には、起毛部材が設けられている。物品収納ケースに被収納物を収納する際には、被収納物が開口部から本体内に押し込まれる。本体内に押し込まれた被収納物には起毛部材が接触するので、本体内で被収納物を動かすと、被収納物に付着した埃や汚れが起毛部材で拭き取られる。
【先行技術文献】
【特許文献】
【０００３】
【特許文献１】特開２０１１−６７３９５号公報
【０００４】
特許文献１に記載された物品収納ケースでは、本体の内面に設けられた起毛部材を被収納物に押し付けることができないため、被収納物に付着した埃や汚れを効率よく拭き取ることが困難であるという問題があった。
【考案の概要】
【０００５】
本考案は、上記問題に対処するためになされたものであり、被収納物に付着した埃や汚れを効率よく拭き取ることができる、物品収納ケースを提供することを目的とする。
【０００６】
上記目的を達成するため、本考案に係る物品収納ケースの特徴は、被収納物を収納するための収納空間を構成するケース本体と、前記ケース本体に開閉可能に設けられ、前記収納空間に対して前記被収納物を出し入れするための開閉口部とを備える、物品収納ケースにおいて、前記ケース本体は、屈曲性および形態保持性を有する平板状の基材と、前記基材の外表面を覆うように設けられたマイクロファイバーからなる第１外生地とを有していることにある。
【０００７】
この構成では、ケース本体がマイクロファイバーからなる第１外生地を有しているので、被収納物を収納空間から外部に取り出して、被収納物に付着した埃や汚れを第１外生地で効率よく拭き取ることができる。基材は形態保持性を有する平板状に形成されているので、第１外生地の表面は平坦になる。したがって、被収納物が平坦面（表示画面等）を有する場合でも、その平坦面を第１外生地で拭き易い。また、基材は屈曲性を有しているので、物品収納ケースの全体を折り曲げることによって、被収納物の表裏両面を第１外生地で効率よく拭くことができる。
【０００８】
本考案の他の特徴は、前記ケース本体は、表部分と裏部分とを有する袋状に形成されており、前記表部分および前記裏部分のそれぞれが、前記基材および前記第１外生地を有しており、前記表部分を構成する前記基材および前記裏部分を構成する前記基材は、互いに独立して形成されていることにある。
【０００９】
この構成では、表部分および裏部分のそれぞれを構成する２つの基材は、互いに独立して形成されているので、これらを物品収納ケースの厚さ方向で層状に重ね合わせることができ、物品収納ケースの全体を１枚の板状に構成することができる。したがって、物品収納ケースの表面で被収納物を拭き易い。
【００１０】
本考案の他の特徴は、前記ケース本体は、前記基材の内表面を覆うように設けられたマイクロファイバーからなる第１内生地を有していることにある。
【００１１】
この構成では、被収納物を収納空間に収納した状態において、被収納物に付着した埃や汚れを第１内生地で拭き取ることができる。
【００１２】
本考案の他の特徴は、前記開閉口部を開くときに弾性変形されるとともに、その復元力により前記開閉口部を閉じるように構成された平板状のばね部材を備え、前記開閉口部は、緩衝性を有する緩衝材と、前記緩衝材の外表面を覆うように設けられたマイクロファイバーからなる第２外生地とを有しており、前記ばね部材は、前記緩衝材の内側に配置されていることにある。
【００１３】
この構成では、第２外生地をばね部材および緩衝材で支持できるので、第２外生地で被収納物を拭く際には、第２外生地を被収納物に押し付け易い。したがって、被収納物に付着した埃や汚れを第２外生地で効率よく拭き取ることができる。また、第２外生地とばね部材との間に緩衝性を有する緩衝材が配置されているので、ばね部材が第２外生地に接触することを防止でき、第２外生地の破れを防止できる。
【００１４】
本考案の他の特徴は、前記開閉口部は、互いに対向する第１部分および第２部分を有しており、前記緩衝材、前記第２外生地および前記ばね部材は、前記第１部分および前記第２部分のそれぞれに設けられていることにある。
【００１５】
この構成では、第１部分および第２部分のそれぞれに設けられたばね部材が、物品収納ケースの厚さ方向で重ね合わされるので、ばね部材に使用者の手指を置くことによって、手指の力を第２外生地に効率よく伝えることができる。
【００１６】
本考案の他の特徴は、前記開閉口部は、前記緩衝材の内表面を覆うように設けられたマイクロファイバーからなる第２内生地を有しており、前記ばね部材は、前記緩衝材と前記第２内生地との間に配置されていることにある。
【００１７】
この構成では、被収納物を収納空間に対して出し入れする際に、被収納物に付着した埃や汚れを第２内生地で拭き取ることができる。
【図面の簡単な説明】
【００１８】
【図１】本考案の一実施形態に係る物品収納ケースおよび被収納物の各構成を示す斜視図である。
【図２】図１におけるII-II線断面図である。
【図３】図１におけるIII-III線断面図である。
【図４】図１におけるIV-IV線断面図である。
【図５】物品収納ケースの使用方法を示す斜視図である。
【図６】物品収納ケースの他の使用方法を示す斜視図である。
【考案を実施するための形態】
【００１９】
以下、本考案に係る物品収納ケースの実施形態について図面を参照しながら説明する。
【００２０】
（物品収納ケース１０の構成）
図１は、本考案の一実施形態に係る物品収納ケース１０および物品収納ケース１０に収納される被収納物１２の各構成を示す斜視図である。図１では、物品収納ケース１０と被収納物１２とを並べて示しており、物品収納ケース１０に被収納物１２は収納されていない。図１に示す被収納物１２は、表示部１２ａを有するスマートフォンであり、物品収納ケース１０は、被収納物１２をその内部に収納できるように構成されている。なお、被収納物１２の種類は、スマートフォンに限定されるものではなく、メガネ、携帯電話、デジタルカメラおよびアクセサリーなどの他の物品が被収納物１２として用いられてもよい。以下の説明で用いる「前、後、左、右、表、裏」の各方向は、図１中の矢印で示した方向を基準とする。また、物品収納ケース１０は袋状に構成されるため、その外側を「外」とし、その内側を「内」とする。
【００２１】
図１に示すように、物品収納ケース１０は、ケース本体１４と、ケース本体１４の前端部に開閉可能に設けられた開閉口部１６と、開閉口部１６に設けられた一対のばね部材１８ａ，１８ｂとを備えている。
【００２２】
図２は、図１におけるII-II線断面図であり、図３は、図１におけるIII-III線断面図である。図２および図３に示すように、ケース本体１４は、被収納物１２（図１）を収納するための収納空間Ｓを構成するものであり、表部分１４ａと裏部分１４ｂとを有する袋状に形成されている。
【００２３】
図２および図３に示すように、表部分１４ａは、基材２０ａと、第１外生地２２ａと、第１内生地２４ａとを有している。基材２０ａは、屈曲性、形態保持性および緩衝性を有する平板状の部材であり、ウレタン、ポリエステル製の綿素材、スポンジおよび低反発素材などで形成されている。表面視における基材２０ａの形状および大きさは、そのまま表面視におけるケース本体１４の形状および大きさとして表れる。
【００２４】
本実施形態の物品収納ケース１０は、スマートフォンを収納するめに、前後方向長さが１８ｃｍ程度で左右方向長さが９ｃｍ程度の四角形に形成されている。物品収納ケース１０のうち開閉口部１６を除いたケース本体１４の前後方向長さは１７ｃｍ程度に定められている。したがって、基材２０ａは、前後方向長さが１７ｃｍ程度で左右方向長さが９ｃｍ程度の四角形に形成されている。基材２０ａの厚さは、屈曲性、形態保持性および緩衝性を有効に発揮できるように、５ｍｍ程度に定められている。
【００２５】
図２および図３に示す第１外生地２２ａは、基材２０ａの外表面を覆うように設けられたマイクロファイバーからなる柔軟なシート状の部材である。マイクロファイバーは、化学的に組成された８マイクロメートル以下の繊維径を有する極細繊維であり、綿と同等以上の吸水性を有している。マイクロファイバーの断面は、被収納物１２（図１）に付着した埃や汚れ（皮脂、指紋または手垢などを含む。）を効率よく除去するために、多角形などの角部のある形状に形成されている。本実施形態の第１外生地２２ａは、ポリエステル製マイクロファイバーとナイロン製マイクロファイバーとによって構成されており、ポリエステルの張りおよび腰とナイロンのソフト感とをバランスよく有している。なお、第１外生地２２ａを構成するマイクロファイバーの種類は、特に限定されるものではなく、既に公知のものを適宜選択して用いることができる。
【００２６】
図２および図３に示す第１内生地２４ａは、基材２０ａの内表面を覆うように設けられたマイクロファイバーからなる柔軟なシート状の部材であり、第１外生地２２ａと同様に形成されている。本実施形態では、第１内生地２４ａが、第１外生地２２ａのマイクロファイバーと同種または異種のマイクロファイバーで構成されている。
【００２７】
図２および図３に示すように、裏部分１４ｂは、基材２０ｂと、第１外生地２２ｂと、第１内生地２４ｂとを有している。裏部分１４ｂを構成する基材２０ｂは、表部分１４ａを構成する基材２０ａから独立して、基材２０ａと同様に形成されている。したがって、表部分１４ａの基材２０ａおよび裏部分１４ｂの基材２０ｂは、これらの形態保持性によって平板状の形状を保持でき、その結果、ケース本体１４は平板状の形状を保持できる。
【００２８】
図２および図３に示すように、裏部分１４ｂを構成する第１外生地２２ｂは、表部分１４ａを構成する第１外生地２２ａに連続して、この第１外生地２２ａと同様に形成されている。また、裏部分１４ｂを構成する第１内生地２４ｂは、表部分１４ａを構成する第１内生地２４ａに連続して、この第１内生地２４ａと同様に形成されている。図２に示すように、表裏両側の第１外生地２２ａ，２２ｂの後端部どうしを連結する連結部２６と、表裏両側の第１内生地２４ａ，２４ｂの後端部どうしを連結する連結部２８とは、互いに重ね合わされており、この重ね合わされた部分でケース本体１４の底部３０が構成されている。
【００２９】
図３に示すように、表部分１４ａの左右方向両端部においては、第１外生地２２ａと、第１内生地２４ａとが重ね合わされており、裏部分１４ｂの左右方向両端部においては、第１外生地２２ｂと、第１内生地２４ｂとが重ね合わされている。そして、表部分１４ａの左端部と裏部分１４ｂの左端部とが互いに縫合されており、この縫合された部分（縫合部）がケース本体１４の左側部３２となっている。一方、表部分１４ａの右端部と裏部分１４ｂの右端部とが互いに縫合されており、この縫合された部分（縫合部）がケース本体１４の右側部３４となっている。
【００３０】
図４は、図１におけるIV-IV線断面図である。図２および図４に示すように、開閉口部１６は、収納空間Ｓ（図２）に対して被収納物１２（図１）を出し入れするための部分であり、互いに対向する第１部分１６ａおよび第２部分１６ｂを有している。本実施形態では、物品収納ケース１０の表側に第１部分１６ａが設けられており、裏側に第２部分１６ｂが設けられている。
【００３１】
図２および図４に示すように、第１部分１６ａは、緩衝材４０ａと、第２外生地４２ａと、第２内生地４４ａと、補強生地４６ａとを有している。緩衝材４０ａは、緩衝性、形態保持性および可撓性を有する平板状の部材であり、ウレタン、ポリエステル製の綿素材、スポンジおよび低反発素材などで形成されている。図１に示すように、本実施形態では、表側から見たときの開閉口部１６の形状が、左右方向に延びる線状であることから、緩衝材４０ａは、左右方向に延びる線状に形成されている。図２に示すように、本実施形態の緩衝材４０ａは、ケース本体１４の基材２０ａと同じ材料を用いて、この基材２０ａと一体的に形成されている。
【００３２】
図２および図４に示す第２外生地４２ａは、緩衝材４０ａの外表面を覆うように設けられたマイクロファイバーからなる柔軟なシート状の部材であり、ケース本体１４の第１外生地２２ａに連続して、この第１外生地２２ａと同様に形成されている。第２内生地４４ａは、緩衝材４０ａの内表面を覆うように設けられたマイクロファイバーからなる柔軟なシート状の部材であり、第２外生地４２ａに連続して、この第２外生地４２ａと同様に形成されている。図２に示すように、第２外生地４２ａと第２内生地４４ａとは、開閉口部１６の前端縁において互いに連結されている。補強生地４６ａは、緩衝材４０ａと第２内生地４４ａとの間に設けられたマイクロファイバーからなる柔軟なシート状の部材であり、ケース本体１４の第１内生地２４ａに連続して、この第１内生地２４ａと同様に形成されている。
【００３３】
図２および図４に示すように、第２部分１６ｂは、緩衝材４０ｂと、第２外生地４２ｂと、第２内生地４４ｂと、補強生地４６ｂとを有している。第２部分１６ｂを構成する緩衝材４０ｂは、第１部分１６ａを構成する緩衝材４０ａから独立して、この緩衝材４０ａと同様に形成されている。図２に示すように、本実施形態の緩衝材４０ｂは、ケース本体１４の基材２０ｂと同じ材料を用いて、この基材２０ｂと一体的に形成されている。表側の緩衝材４０ａおよび裏側の緩衝材４０ｂは、これらの形態保持性およびばね部材１８ａ，１８ｂの支持力によって、二重線状（閉状態）または環状（開状態）の形状を保持できる。なお、図４では、開状態にある環状の開閉口部１６を二点鎖線で示している。
【００３４】
図２および図４に示す第２外生地４２ｂは、緩衝材４０ｂの外表面を覆うように設けられたマイクロファイバーからなるシート状の部材であり、図２に示すように、ケース本体１４の第１外生地２２ｂに連続して、この第１外生地２２ｂと同様に形成されている。図２および図４に示す第２内生地４４ｂは、緩衝材４０ｂの内表面を覆うように設けられたマイクロファイバーからなる柔軟なシート状の部材であり、第２外生地４２ｂに連続して、この第２外生地４２ｂと同様に形成されている。図２に示すように、第２外生地４２ｂと第２内生地４４ｂとは、開閉口部１６の前端縁において互いに連結されている。補強生地４６ｂは、緩衝材４０ｂと第２内生地４４ｂとの間に設けられたマイクロファイバーからなる柔軟なシート状の部材であり、ケース本体１４の第１内生地２４ｂに連続して、この第１内生地２４ｂと同様に形成されている。
【００３５】
図２に示すように、本実施形態では、ケース本体１４および開閉口部１６が互いに連続して、１つの袋体が構成されており、この袋体の外表面が、表裏両側の第１外生地２２ａ，２２ｂおよび表裏両側の第２外生地４２ａ，４２ｂを有する１枚の生地Ｑ１で構成されている。また、この袋体の内表面が、表裏両側の第１内生地２４ａ，２４ｂおよび表裏両側の補強生地４６ａ，４６ｂを有する１枚の生地Ｑ２で構成されている。そして、開閉口部１６の前端縁において、外側の生地Ｑ１が内側に折り返されている。この折り返された部分が、表裏両側の補強生地４６ａ，４６ｂの内側に重ね合わされて、表裏両側の第２内生地４４ａ，４４ｂとなっている。
【００３６】
図２に示すように、表側の第１部分１６ａにおいては、第２内生地４４ａの下端部が、第２外生地４２ａおよび補強生地４６ａと共に緩衝材４０ａに縫合されており、この縫合された部分（縫合部）が、ケース本体１４の表部分１４ａと開閉口部１６の第１部分１６ａとの境界部４８となっている。一方、裏側の第２部分１６ｂにおいては、第２内生地４４ｂの下端部が、第２外生地４２ｂおよび補強生地４６ｂと共に緩衝材４０ｂに縫合されており、この縫合された部分（縫合部）が、ケース本体１４の裏部分１４ｂと開閉口部１６の第２部分１６ｂとの境界部５０となっている。
【００３７】
図４に示すように、第１部分１６ａの左右方向両端部においては、第２外生地４２ａと、第２内生地４４ａと、補強生地４６ａとが重ね合わされている。第２部分１６ｂの左右方向両端部においては、第２外生地４２ｂと、第２内生地４４ｂと、補強生地４６ｂとが重ね合わされている。そして、第１部分１６ａの左端部と第２部分１６ｂの左端部とが互いに縫合されており、この縫合された部分（縫合部）が開閉口部１６の左側部５２となっている。一方、第１部分１６ａの右端部と第２部分１６ｂの右端部とが互いに縫合されており、この縫合された部分（縫合部）が開閉口部１６の右側部５４となっている。開閉口部１６では、補強生地４６ａ，４６ｂが設けられている分だけ、ケース本体１４よりも強度が高くなっている。そのため、開閉口部１６の開閉動作が繰り返された場合でも、開閉口部１６（特に、左側部５２および右側部５４）は損傷を受け難い。
【００３８】
図２および図４に示すばね部材１８ａ，１８ｂは、開閉口部１６を開くときに弾性変形されるとともに、その復元力により開閉口部１６を閉じるように構成された平板状の部材であり、ばね性を有するスチールなどで形成されている。本実施形態では、２つのばね部材１８ａ，１８ｂが、第１部分１６ａおよび第２部分１６ｂのそれぞれにおいて、緩衝材４０ａ，４０ｂの内側に設けられている。図４中の二点鎖線で示すように、開閉口部１６を開くときには、ばね部材１８ａ，１８ｂは、使用者の手の力によって、それらの中央部どうしが離間する方向に弾性変形される。使用者の手の力を解除すると、ばね部材１８ａ，１８ｂは、それらの復元力によって元の平板状に戻ろうとし、開閉口部１６は自動的に閉じられる。
【００３９】
（物品収納ケース１０の作用）
図１に示す被収納物１２を物品収納ケース１０に収納する際には、使用者は、開閉口部１６を両端部から押圧してまたは開閉口部１６内に手を差し込んで押し広げるなどして開くことにより、開閉口部１６から収納空間Ｓ（図２）に被収納物１２を押し込む。このとき、開閉口部１６の内面に設けられた第２内生地４４ａ，４４ｂが被収納物１２の表面に接触すると、その表面に付着した埃や汚れが第２内生地４４ａ，４４ｂで拭き取られる。また、この場合、開閉口部１６は、補強生地４６ａ,４６ｂによって第２内生地４４ａ，４４ｂを被収容物１２に接触させることができるとともにばね部材１８ａ，１８ｂが押し付けられる場合の被収容部１２の損傷を防止することができる。
【００４０】
図１に示す被収納物１２が収納空間Ｓ（図２）に収納された状態では、ケース本体１４を構成する表裏両側の基材２０ａ，２０ｂによって被収納物１２が保持される。物品収納ケース１０を前後または左右に振って、被収納物１２を前後または左右に移動させると、被収納物１２の表面に付着した埃や汚れが第１内生地２４ａ，２４ｂで拭き取られる。
【００４１】
図１に示す被収納物１２を収納空間Ｓ（図２）から外部に取り出した状態では、前記収納時と同様に、ケース本体１４の表裏両側に設けられた第１外生地２２ａ，２２ｂおよび開閉口部１６の表裏両側に設けられた第２外生地４２ａ，４２ｂによって、被収納物１２の表面に付着した埃や汚れを拭き取ることができる。
【００４２】
図５は、物品収納ケース１０の使用方法を示す斜視図である。図５に示すように、被収納物１２の表面または裏面の全面を拭く場合には、テーブルなどの支持台（図示省略）の上に物品収納ケース１０を載置し、物品収納ケース１０の上に被収納物１２を載置する。そして、被収納物１２を物品収納ケース１０のケース本体１４に押し付けながら被収納物１２を前後左右に移動させる。つまり、被収納物１２をケース本体１４の第１外生地２２ａまたは２２ｂ（図２）で拭く。ケース本体１４は、平板状に形成されているので、ケース本体１４と被収納物１２とを広い面積で接触させることが可能であり、被収納物１２を効率よく拭くことができる。
【００４３】
図６は、物品収納ケース１０の他の使用方法を示す斜視図である。図６に示すように、被収納物１２の表面または裏面を部分的に拭く場合には、テーブルなどの支持台（図示省略）の上に被収納物１２を載置し、被収納物１２の上方を向いた面（表面または裏面）に物品収納ケース１０の開閉口部１６を押し付けながら、開閉口部１６を前後左右に移動させる。つまり、被収納物１２を開閉口部１６の第２外生地４２ａまたは４２ｂ（図２）で拭く。開閉口部１６には、硬質のばね部材１８ａ，１８ｂが設けられているので、このばね部材１８ａ，１８ｂに使用者の手指を置くことによって、手指の力を開閉口部１６の第２外生地４２ａまたは４２ｂ（図２）の全面に略均等に効率よく伝えることができ、開閉口部１６をワイパーのように使って被収納物１２を効率よく拭くことができる。この場合、開閉口部１６は、ばね部材１８ａ，１８ｂが互いに強く押し付けられることによるばね部材１８ａ，１８ｂおよび第２内生地４４ａ，４４ｂの各損傷を補強生地４６ａ,４６ｂによって防止することができる。
【００４４】
（物品収納ケース１０の効果）
本実施形態によれば、上記構成により以下の各効果を奏することができる。すなわち、図２に示すように、ケース本体１４がマイクロファイバーからなる第１外生地２２ａ，２２ｂを有しているので、被収納物１２を収納空間Ｓから外部に取り出して、被収納物１２に付着した埃や汚れを第１外生地２２ａ，２２ｂで効率よく拭き取ることができる。
【００４５】
図２および図３に示すように、基材２０ａ，２０ｂは形態保持性を有する平板状に形成されているので、第１外生地２２ａ，２２ｂの表面は平坦になる。したがって、被収納物１２（図１）が平坦面を有する場合でも、その平坦面を第１外生地２２ａ，２２ｂで拭き易い。また、基材２０ａ，２０ｂは屈曲性を有しているので、物品収納ケース１０の全体を折り曲げることによって、被収納物１２の表裏両面を第１外生地２２ａ，２２ｂで効率よく拭くことができる。
【００４６】
図２および図３に示すように、表部分１４ａおよび裏部分１４ｂのそれぞれを構成する２つの基材２０ａ，２０ｂは、互いに独立して形成されているので、これらを物品収納ケース１０の厚さ方向で層状に重ね合わせることができ、物品収納ケース１０の全体を１枚の板状に構成することができる。したがって、図５に示すように、物品収納ケース１０の表面で被収納物１２を拭き易い。
【００４７】
図２および図４に示すように、第２外生地４２ａ，４２ｂをばね部材１８ａ，１８ｂおよび緩衝材４０ａ，４０ｂで支持できるので、第２外生地４２ａ，４２ｂで被収納物１２を拭く際には、第２外生地４２ａ，４２ｂをばね部材１８ａ，１８ｂの剛性によって被収納物１２に押し付け易い。したがって、被収納物１２に付着した埃や汚れを第２外生地４２ａ，４２ｂで効率よく拭き取ることができる。また、第２外生地４２ａ，４２ｂとばね部材１８ａ，１８ｂとの間に緩衝材４０ａ，４０ｂが配置されているので、ばね部材１８ａ，１８ｂが第２外生地４２ａ，４２ｂに接触することを防止でき、第２外生地４２ａ，４２ｂの破れを防止できる。
【００４８】
図２および図４に示すように、第１部分１６ａおよび第２部分１６ｂのそれぞれに設けられたばね部材１８ａ，１８ｂが、物品収納ケース１０の厚さ方向で重ね合わされるので、２枚のばね部材１８ａ，１８ｂで大きな剛性を確保できる。したがって、ばね部材１８ａ，１８ｂに使用者の手指を置くことによって、手指の力を第２外生地４２ａまたは４２ｂに効率よく伝えることができる。
【００４９】
（変形例）
なお、本考案の実施にあたっては、上記実施形態に限定されず、本考案の目的を逸脱しない限りにおいて種々の変更が可能である。例えば、上記実施形態では、ケース本体１４の内面を構成する第１内生地２４ａ，２４ｂと、開閉口部１６の内面を構成する第２内生地４４ａ，４４ｂとが、マイクロファイバーからなるシート状の部材で形成されているが、これらの一方または両方は、マイクロファイバーよりも繊維径が大きい起毛を有するシート状の部材（図示省略）で形成されてもよい。
【００５０】
上記実施形態では、ケース本体１４の基材２０ａ，２０ｂと、開閉口部１６の緩衝材４０ａ，４０ｂとが、同じ材料で一体的に形成されているが、これらは、異なる材料で別々に形成されてもよい。例えば、ケース本体１４は、被収納物１２を拭く際に折り曲げられることがあるため、屈曲性を有する材料で形成されることが望ましいが、開閉口部１６は、折り曲げられることがないため、屈曲性を有しない材料で形成されてもよい。
【００５１】
上記実施形態では、ケース本体１４の第１外生地２２ａ，２２ｂと、開閉口部１６の第２外生地４２ａ，４２ｂとが、同じ材料で一体的に形成されているが、これらは、異なる材料で別々に形成されてもよい。例えば、開閉口部１６の第２外生地４２ａ，４２ｂは、硬質のばね部材１８ａ，１８ｂで被収納物１２に押し付けられるため、強度の大きい材料で形成されることが望ましいが、ケース本体１４の第１外生地２２ａ，２２ｂは、硬質部材で被収納物１２に押し付けられることがないため、強度の小さいより柔軟な材料で形成されてもよい。
【００５２】
また、上記実施形態においては、緩衝材４０ａ，４０ｂと第２内生地４４ａ，４４ｂとの間にそれぞれ補強生地４６ａ,４６ｂを設けた。しかし、開閉口部１６は、補強生地４６ａ,４６ｂを省略して構成することもできる。
【符号の説明】
【００５３】
Ｓ…収納空間、１０…物品収納ケース、１２…被収納物、１４…ケース本体、
１６…開閉口部、２０ａ，２０ｂ…基材、２２ａ，２２ｂ…第１外生地
【図１】
0003215640.tif 000003
【図２】
0003215640.tif 000004
【図３】
0003215640.tif 000005
【図４】
0003215640.tif 000006
【図５】
0003215640.tif 000007
【図６】
0003215640.tif 000008